(57)【特許請求の範囲】
【請求項１】
着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、
腹側シート部材及び背側シート部材は、それぞれ、左右両側にサイドシール部を有する本体部と、該本体部から股下部側に延出し、左右両側にサイドシール部を有しない延出部とを有しており、
背側シート部材の前記延出部を、物品長手方向に２等分して、背側延出部上部及び背側延出部下部に区分したときに、
腹側シート部材の前記本体部及び前記延出部、並びに背側シート部材の前記本体部、前記背側延出部上部及び前記背側延出部下部が、何れも、物品幅方向に伸縮性を有しており、
前記背側延出部上部及び前記腹側シート部材における該背側延出部上部に対応する部分は、それぞれ、物品長手方向の単位長さ当たりの物品幅方向の収縮応力が、前記背側延出部下部の同収縮応力より大きく、
前記本体部を、前記サイドシール部を物品長手方向に３等分して３領域に区分し、前記ウエスト開口部に近い側から順に第１領域、第２領域及び第３領域としたときに、
前記腹側シート部材及び前記背側シート部材それぞれの前記第３領域の下半部は、物品長手方向の単位長さあたりの物品幅方向の収縮応力が、前記第１領域の収縮応力より大きく、前記第２領域の収縮応力より小さい、パンツ型吸収性物品。
【請求項２】
着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、
腹側シート部材及び背側シート部材は、それぞれ、左右両側にサイドシール部を有する本体部と、該本体部から股下部側に延出し、左右両側にサイドシール部を有しない延出部とを有しており、
背側シート部材の前記延出部を、物品長手方向に２等分して、背側延出部上部及び背側延出部下部に区分したときに、
腹側シート部材の前記本体部及び前記延出部、並びに背側シート部材の前記本体部、前記背側延出部上部及び前記背側延出部下部が、何れも、物品幅方向に伸縮性を有しており、
前記背側延出部上部及び前記腹側シート部材における該背側延出部上部に対応する部分は、それぞれ、物品長手方向の単位長さ当たりの物品幅方向の収縮応力が、前記背側延出部下部の同収縮応力より大きく、
前記本体部を、前記サイドシール部を物品長手方向に３等分して３領域に区分し、前記ウエスト開口部に近い側から順に第１領域、第２領域及び第３領域としたときに、
前記背側延出部上部及び／又は前記腹側シート部材の該背側延出部上部に対応する部分は、物品長手方向の単位長さ当たりの物品幅方向の収縮応力が、前記背側シート部材及び／又は前記腹側シート部材における、前記第２領域の収縮応力より低い、パンツ型吸収性物品。
【請求項３】
前記背側延出部上部及び／又は前記腹側シート部材の該背側延出部上部に対応する部分は、物品長手方向の単位長さ当たりの物品幅方向の収縮応力が、前記背側シート部材及び／又は前記腹側シート部材における、前記第３領域の下半部の収縮応力と同等である、請求項１又は２に記載のパンツ型吸収性物品。
【請求項４】
前記背側シート部材の前記延出部の長さが、前記腹側シート部材の前記延出部の長さより長い、請求項１〜３の何れか１項に記載のパンツ型吸収性物品。
【請求項５】
着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、
腹側シート部材及び背側シート部材は、それぞれ、左右両側にサイドシール部を有する本体部と、該本体部から股下部側に延出し、左右両側にサイドシール部を有しない延出部とを有しており、
背側シート部材の前記延出部を、物品長手方向に２等分して、背側延出部上部及び背側延出部下部に区分したときに、
腹側シート部材の前記本体部及び前記延出部、並びに背側シート部材の前記本体部、前記背側延出部上部及び前記背側延出部下部が、何れも、物品幅方向に伸縮性を有しており、
前記背側延出部上部及び前記腹側シート部材における該背側延出部上部に対応する部分は、それぞれ、物品長手方向の単位長さ当たりの物品幅方向の収縮応力が、前記背側延出部下部の同収縮応力より大きく、
腹側シート部材及び背側シート部材それぞれの前記本体部及び前記延出部に、２枚のシート間が散点状に形成された多数の接合部で互いに接合されていると共に弾性部材が、それぞれ物品長手方向に隣り合う接合部間を通るように配されている伸縮部を有しており、
腹側シート部材及び背側シート部材それぞれの両側縁部又はその近傍に、前記２枚のシート間が接着剤で接合された接着領域を有しており、前記本体部と前記延出部との境界領域に、前記接着領域の幅が他の部分より広い部分を有している、パンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。
例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
【０００４】
また、特許文献２には、腹側外装シートと背側外装シートとから形成された筒状の胴回り部と吸収性本体とを備え、背側外装シートが背側本体部とその下側に延出する背側延出部とを有し、該背側延出部における、吸収性本体と重なる部分の両側に延出した臀部カバー部に設けられた第２弾性伸縮部材の伸張率を、背側本体部の中間部および下端部に設けられた第１弾性伸縮部材の伸張率よりも高くしたパンツ型紙おむつが記載されている。
また、特許文献３にも、腹側外装シートと背側外装シートとから形成された筒状の胴回り部と吸収性本体とを備え、背側外装シートが背側本体部とその下側に延出する背側延出部とを有するパンツ型紙おむつが記載されており、同公報には、腹側外装シートも、腹側本体部と腹側延出部とを有していても良いことが記載されている。
【先行技術文献】
【特許文献】
【０００５】
【特許文献１】特表２００８−５０８０８２号公報
【特許文献２】特開２００８−１７８６８２号公報
【特許文献３】特開２００８−２１２２４９号公報
【発明の概要】
【発明が解決しようとする課題】
【０００６】
外包材が、着用者の腹側に配される腹側シート部材と着用者の背側に配される背側シート部材とに分割されたパンツ型吸収性物品は、例えば、腹側シート部材の帯状原反と背側シート部材の帯状原反とを離間させて搬送しつつ、吸収性本体を、両者間に架け渡すように間欠的に固定し、次いで、腹側シート部材の帯状原反と背側シート部材の帯状原反とが重なるように二つ折りした後、サイドシール部形成用の接合を行い、その接合と同時又はその後に切断して個々の使い捨ておむつに分割することにより効率的に製造することができ、腹側に配される部分と背側に配される部分とが連続する幅広の外包材にレッグ開口部形成用の貫通孔や切り欠きを形成する場合に比して、外包材の原反からのトリムの除去を不要としたり、除去すべきトリムの小型化等を図ることができる。
【０００７】
しかし、特許文献１に記載のプルオン衣類は、後ろベルト部分（背側シート部材）が、前ベルト部分（腹側シート部材）より長いことによって臀部の被覆性に優れるが、臀部を被覆する延出部分（背側延出部）の肌に対するフィット性に劣り、当該部分にめくれ等の不都合が生じやすい。また、前側の延出部分が存在しないため、装着時において衣服としてみた時に完全に肌を覆うことができず、外観的な問題が生じる。
特許文献２，３のパンツ型紙おむつは、背側シート部材の下端が曲線状に加工されているため、製造の際にトリムの除去が必要であり、また、臀部の被覆性にも劣る。  更に、外包材が腹側シート部材と背側シート部材とに分割された従来のパンツ型吸収性物品においての、着用中にずれ落ちが生じやすいという問題に対して何の示唆もなされていないのが現状である。
【０００８】
従って、本発明は、外包材が腹側シート部材と背側シート部材とに分割され、効率的に製造可能なパンツ型吸収性物品でありながら、臀部の被覆性に優れ、着用中にずれ落ちや外観の悪化が生じにくいパンツ型吸収性物品に関する。
【課題を解決するための手段】
【０００９】
本発明は、着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、腹側シート部材及び背側シート部材は、それぞれ、左右両側にサイドシール部を有する本体部と、該本体部から股下部側に延出し、左右両側にサイドシール部を有しない延出部とを有しており、背側シート部材の前記延出部を、物品長手方向に２等分して、背側延出部上部及び背側延出部下部に区分したときに、腹側シート部材の前記本体部及び前記延出部、並びに背側シート部材の前記本体部、前記背側延出部上部及び前記背側延出部下部が、何れも、物品幅方向に伸縮性を有しており、前記背側延出部上部及び前記腹側シート部材における該背側延出部上部に対応する部分は、それぞれ、物品長手方向の単位長さ当たりの物品幅方向の収縮応力が、前記背側延出部下部の同収縮応力より大きいパンツ型吸収性物品を提供するものである。
【発明の効果】
【００１０】
本発明のパンツ型吸収性物品は、外包材が腹側シート部材と背側シート部材とに分割され、効率的に製造可能なパンツ型吸収性物品でありながら、臀部の被覆性に優れ、着用中にずれ落ちや外観の悪化が生じにくいものである。
【図面の簡単な説明】
【００１１】
【図１】図１は、本発明の一実施形態であるパンツ型使い捨ておむつの使用状態（着用状態）を示す斜視図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た伸長状態の一部破断拡大図である。
【図４】図４は、図１に示すパンツ型使い捨ておむつの背側部側をおむつ外面側から見た伸長状態の一部破断拡大図である。
【図５】図５は、図１に示すパンツ型使い捨ておむつにおける各伸縮部のおむつ幅方向に沿う断面を示す図であり、（ａ）は、弾性部材を伸長させて襞をなくした状態、（ｂ）は弾性部材が収縮して襞が形成されている状態を示す図である。
【発明を実施するための形態】
【００１２】
以下、本発明のパンツ型吸収性物品を、その好ましい実施形態に基づき図面を参照しながら説明する。
本発明の一実施形態であるパンツ型使い捨ておむつ１（以下、単におむつ１ともいう）は、図１及び図２に示すように、着用者の腹側に配される矩形状の腹側シート部材２Ａと、着用者の背側に配される矩形状の背側シート部材２Ｂと、腹側シート部材２Ａ及び背側シート部材２Ｂに架け渡して固定された吸収性本体３とを具備し、腹側シート部材２Ａの両側縁部２ａ，２ａと背側シート部材２Ｂの両側縁部２ｂ，２ｂとが接合されて、一対のサイドシール部４，４が形成されている。
【００１３】
おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ長手方向（物品長手方向）は、腹側部Ａから股下部Ｃを経て背側部Ｂに亘る方向又はその逆方向（図２中Ｘ方向）であり、おむつ幅方向（物品幅方向）は、着用者の胴回り方向に沿う方向であり、物品長手方向と交差する方向（図２中Ｙ方向）である。以下、おむつ長手方向（物品長手方向）を単にＸ方向、おむつ幅方向（物品幅方向）を単にＹ方向ともいう。
【００１４】
サイドシール部４は、図２に示すように、Ｘ方向の長さが、腹側シート部材２Ａの長さＬａ及び背側シート部材２Ｂの長さＬｂの何れよりも短く形成されており、腹側シート部材２Ａ及び背側シート部材２Ｂのそれぞれに、左右両側にサイドシール部４，４を有する本体部２０ａ，２０ｂと、本体部２０ａ，２０ｂから股下部Ｃ側に延出し、左右両側にサイドシール部４，４を有しない延出部２１ａ，２１ｂとが形成されている。
以下、腹側シート部材２Ａの本体部２０ａ及び延出部２１ａを、腹側本体部２０ａ及び腹側延出部２１ａともいい、背側シート部材２Ｂの本体部２０ｂ及び延出部２１ｂを、背側本体部２０ｂ及び背側延出部２１ｂともいう。
【００１５】
本実施形態のおむつ１について、より具体的に説明すると、おむつ１の吸収性本体３は、図２に示すように、液透過性の表面シート３１、液不透過性又は撥水性の裏面シート３２、及び両シート３１、３２間に介在配置された液保持性の吸収体３３を有しており、Ｘ方向に長い長方形状に形成されている。吸収体３３は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。吸収体３３も、Ｘ方向に長い長方形状に形成されている。吸収体３３は、長手方向の両側に、吸収性コアの形成材料が存在しないか又は該形成材料の坪量が他の部分より少ない低剛性部３３ｄを有している。吸収体３３が低剛性部３３ｄで屈曲し易いことにより、おむつ着用時に、吸収体３３又は吸収性本体３の両側部が着用者の肌側に向かって立ち上がり易くなっている。
【００１６】
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から幅方向外方への液の流出が阻止される。表面シート３１、裏面シート３２、及び吸収体３３の吸収性コアやコアラップシートとしては、それぞれ、この種の吸収性物品に従来用いられているものと同様のものを用いることができる。吸収性本体３の外側には、裏面シート３２に重ねて、不織布やフィルム等の外装シートを配することもできる。
【００１７】
腹側シート部材２Ａは、おむつ１の展開且つ伸長状態（図２参照）において、横長の長方形状をなしており、おむつ長手方向（Ｘ方向）に沿う左右一対の側縁部２ａ，２ａと、おむつ幅方向（Ｙ方向）に沿う上下一対の端縁部２ｃ，２ｄ（上側端縁部２ｃ、下側端縁部２ｄ）とを有している。背側シート部材２Ｂも、同様に、おむつ１の展開且つ伸長状態（図２参照）において、横長の長方形状をなしており、Ｘ方向に沿う左右一対の側縁部２ｂ，２ｂと、おむつ幅方向（Ｙ方向）に沿う上下一対の端縁部２ｃ，２ｄ（上側端縁部２ｃ、下側端縁部２ｄ）とを有している。腹側シート部材２Ａと背側シート部材２Ｂは、図２に示すように、おむつ長手方向（Ｘ方向）の長さがおむつ幅方向（Ｙ方向）において均一である。
【００１８】
そして、腹側シート部材２Ａの側縁部２ａ（詳細には、その一部である接合部２ａ’）と、背側シート部材２Ｂの側縁部２ｂ（詳細には、その一部である接合部２ｂ’）とが接合されていることによって、おむつ１に、前述した一対のサイドシール部４，４が形成されている。この接合には、例えばヒートシール、高周波シール、超音波シール、接着剤等の公知の接合手段が用いられる。また、この接合によって、サイドシール部４，４と共に、ウエスト開口部５及び一対のレッグ開口部６，６が形成されている。
【００１９】
吸収性本体３は、長手方向の一端側（腹側シート部材２Ａと重なっている部分）が、腹側シート部材２ＡのＹ方向の中央領域に接着剤を介して固定され、長手方向の他端側（背側シート部材２Ｂと重なっている部分）が、背側シート部材２ＢのＹ方向の中央領域に接着剤を介して固定されている。
【００２０】
おむつ１における腹側シート部材２Ａ及び背側シート部材２Ｂは何れも、図３及び図４に示すように、おむつの外面をなす外層シート２２と、外層シート２２の内面側に配された内層シート２３と、両シート２２，２３間に配された複数本の糸状の弾性部材２４とを備えており、腹側本体部２０ａ及び背側本体部２０ｂに、それぞれ、ウエスト伸縮部Ｇ１及び胴回り伸縮部Ｇ２が形成され、腹側延出部２１ａ及び背側延出部２１ｂに、延出部伸縮部Ｇ３が形成されている。
【００２１】
ウエスト伸縮部Ｇ１は、腹側シート部材２Ａ及び背側シート部材２Ｂのそれぞれにおいて、おむつ１の長手方向（Ｘ方向）における、吸収性本体３の長手方向の端部３ａ，３ｂより外方に形成されている。胴回り伸縮部Ｇ２は、腹側シート部材２Ａ及び背側シート部材２Ｂのそれぞれにおいて、Ｘ方向における、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。胴回り伸縮部Ｇ２及び延出部伸縮部Ｇ３は、それぞれ、おむつ１の幅方向（Ｙ方向）における、少なくとも、吸収性本体３の長手方向の両側縁それぞれより外方に位置する部分に形成されている。
【００２２】
図３及び図４に示すおむつ１においては、ウエスト伸縮部Ｇ１は、腹側シート部材２Ａ又は背側シート部材２Ｂにおける側部接着領域２７，２７間の全域に亘って伸縮性を発現するように形成されており、他方、胴回り伸縮部Ｇ２及び延出部伸縮部Ｇ３は、吸収性本体３の両側縁の外方においては伸縮性を発現し、吸収性本体３と重なる部分、特に吸収性本体３の幅方向中央部と重なる部分において伸縮性を発現しないように、おむつ１の左右に分割された状態に形成されている。
【００２３】
腹側本体部２０ａ、背側本体部２０ｂ、腹側延出部２１ａ及び背側延出部２１ｂには、それぞれ、複数本の弾性部材２４が、それぞれおむつ幅方向に沿って延びるように、且つおむつの長手方向に間隔を開けて伸長状態で配されている。
【００２４】
また、背側本体部２０ｂを、図２及び図４に示すように、サイドシール部４を物品長手方向（Ｘ方向）に３等分して３領域Ｂ１〜Ｂ３に区分し、ウエスト開口部に近い側から順に第１領域Ｂ１、第２領域Ｂ２及び第３領域Ｂ３としたとき、第１領域〜第３領域Ｂ１〜Ｂ３のそれぞれに、弾性部材２４が、おむつ幅方向に沿って延びるように伸長状態で配されている。これにより、第１領域〜第３領域Ｂ１〜Ｂ３のそれぞれがＹ方向の伸縮性を発現する。第１領域〜第３領域Ｂ１〜Ｂ３のそれぞれには、弾性部材２４が、Ｘ方向に間隔を開けて複数本配されていることが好ましい。
また、背側延出部２１ｂを、図２及び図４に示すように、物品長手方向（Ｘ方向）に２等分して、背側延出部上部Ｂ４及び背側延出部下部Ｂ５に区分したときに、背側延出部上部Ｂ４及び背側延出部下部Ｂ５のそれぞれに、弾性部材２４が、おむつ幅方向に沿って延びるように伸長状態で配されている。これにより、背側延出部上部Ｂ４及び背側延出部下部Ｂ５のそれぞれがＹ方向の伸縮性を発現する。背側延出部上部Ｂ４及び背側延出部下部Ｂ５のそれぞれには、弾性部材２４が、Ｘ方向に間隔を開けて複数本配されていることが好ましい。
【００２５】
また、腹側本体部２０ａを、図２及び図３に示すように、サイドシール部４を物品長手方向（Ｘ方向）に３等分して３領域Ａ１〜Ａ３に区分し、ウエスト開口部に近い側から順に第１領域Ａ１、第２領域Ａ２及び第３領域Ａ３としたとき、第１領域〜第３領域Ａ１〜Ａ３のそれぞれに、弾性部材２４が、おむつ幅方向に沿って延びるように伸長状態で配されている。これにより、第１領域〜第３領域Ａ１〜Ａ３のそれぞれがＹ方向の伸縮性を発現する。第１領域〜第３領域Ａ１〜Ａ３のそれぞれには、弾性部材２４が、Ｘ方向に間隔を開けて複数本配されていることが好ましい。
また、腹側シート部材２Ａにおける腹側延出部２１ａにも、弾性部材２４が、おむつ幅方向に沿って延びるように伸長状態で配されている。これにより、腹側延出部２１ａもＹ方向の伸縮性を発現する。
【００２６】
本実施形態においては、腹側延出部２１ａのＸ方向の長さＬ５が、背側延出部２１ｂのＸ方向の長さＬ６の半分の長さであり、背側延出部上部Ｂ４のＸ方向の長さＬ６１と同じである。そのため、腹側延出部２１ａの全体が、腹側シート部材２Ａにおける背側延出部上部Ｂ４に対応する部分Ａ４である。
これに対して、腹側延出部２１ａのＸ方向の長さＬ５が、背側延出部上部Ｂ４のＸ方向の長さＬ６１よりも長い場合には、腹側延出部２１ａのうち、本体部２０ａからの距離がＬ６１までの範囲が、腹側シート部材２Ａにおける背側延出部上部Ｂ４に対応する部分Ａ４であり、反対に、腹側延出部２１ａのＸ方向の長さＬ５が、背側延出部上部Ｂ４のＸ方向の長さＬ６１よりも短い場合には、Ｌ６１よりも短いＬ５の長さを有する領域を、背側延出部上部Ｂ４に対応する部分Ａ４とする。
【００２７】
腹側シート部材２Ａにおける背側延出部上部Ｂ４に対応する部分Ａ４にも、弾性部材２４が、Ｘ方向に間隔を開けて複数本配されていることが好ましい。以下、腹側シート部材２Ａにおける背側延出部上部Ｂ４に対応する部分Ａ４を、腹側延出部上部Ａ４ともいう。
【００２８】
おむつ１は、背側延出部上部Ｂ４、背側延出部下部Ｂ５及び腹側延出部上部Ａ４は、それぞれおむつ幅方向（Ｘ方向）に伸縮性を有しており、背側延出部上部Ｂ４及び腹側延出部上部Ａ４は、それぞれ、物品長手方向の単位長さ当たりの物品幅方向の収縮応力が、背側延出部下部Ｂ５の同収縮応力（物品長手方向の単位長さ当たりの物品幅方向の収縮応力）より大きい。
即ち、下記式（２）及び（３）の関係を満たしている。
背側延出部上部Ｂ４の収縮応力＞背側延出部下部Ｂ５の収縮応力    ・・・（２）
腹側延出部上部Ａ４の収縮応力＞背側延出部下部Ｂ５の収縮応力    ・・・（３）
【００２９】
腹側本体部２０ａ及び背側本体部２０ｂ、特に腹側及び背側の第３領域Ａ３，Ｂ３に、強い収縮応力を持たせると、おむつ着用時のずれ落ちを防止することができる。
しかし、腹側及び背側の第３領域Ａ３，Ｂ３のみに、ずれ落ちを防止できるだけの強い収縮応力を持たせた場合には、当該領域が、肌に強く当たり、ゴム跡が付いたり、肌への負担となる。
これに対して、背側延出部上部Ｂ４及びそれに対応する腹側延出部上部Ａ４に、背側延出部下部Ｂ５よりも強い、ある程度の収縮応力を持たせることにより、第３領域Ａ３，Ｂ３の応力を抑制して肌への負担を抑えつつ、ずれ落ちを防止することができる。
【００３０】
また、背側延出部下部Ｂ５に、背側延出部上部Ｂ４よりも弱い収縮応力を持たせることにより、背側延出部下部Ｂ５が、湾曲の大きい臀部の下方部に柔らかくフィットし、臀部のはみ出しが防止され、漏れに対して安心感のある外観が得られる。また、背側延出部２１ｂがめくれたり、背側延出部２１ｂが強く収縮して外観が悪化する等の不都合が防止される
【００３１】
各部Ａ１〜Ａ４，Ｂ１〜Ｂ５の収縮応力（単位長さ当たりの収縮応力）は、以下のようにして測定することができる。後述するＡ３１，Ａ３２，Ｂ３１，Ｂ３２等の収縮応力も同様である。
おむつのサイドシール部を剥離し、図２のように伸張、展開して平面状に拡げ、腹側シート部材２Ａ及び背側シート部材２Ｂのそれぞれについて、Ａ１〜Ａ４、Ｂ１〜Ｂ５の領域をそれぞれおむつ幅方向と平行な直線に沿って切断して切り出し、両部材２Ａ，２Ｂの両側縁部間の全長に亘る長さの各領域の短冊ないし帯状のサンプルを得る。この切り出しの際には、腹側シート部材２Ａ及び背側シート部材２Ｂのみならず、吸収性本体３等を含むおむつ全体を切断し、吸収体を取り除く。吸収体を取り除いてから、腹側シート部材２Ａ及び背側シート部材２Ｂを各領域に切断しても良い。領域の境界部に弾性部材が存在する場合は、近接する弾性体以外の部分で切断する。切り出した各領域（測定サンプル）の長手方向の両側を、テンシロン引張試験機（ＳＨＩＭＡＤＺＵ社製「オートグラフ  ＡＧ−Ｘ」）のチャックに挟み、該測定サンプルを３００ｍｍ／ｍｉｎの速度の速度で、伸長させ、腹側シート部材２Ａ及び背側シート部材２Ｂの内寸〔弾性部材により外包材のシートが収縮していない状態（換言すれば弾性部材を配さずに腹側シート部材２Ａ及び背側シート部材２Ｂのみを伸展させた状態）で測定した腹側シート部材２Ａ及び背側シート部材２Ｂのサイドシール部間の長さを１００（例えば３５０ｍｍ）としたときの、８０相当（例えば２８０ｍｍ）の長さまで伸長させた後に、７１相当（例えば２５０ｍｍ）の長さまで収縮させたときの単位長さ（１０ｍｍ）あたりの引張り荷重（ｃＮ）をＸ方向の単位長さ当たりのＹ方向の収縮応力Ｐとする。
【００３２】
腹側シート部材２Ａ及び背側シート部材２Ｂの内寸を１００としたときの７１相当の長さにおける戻りの力を規定した理由は、本実施形態のパンツ型使い捨ておむつ１を着用する主たる対象者である幼児の腹回りの長さがおむつ内寸と比して７１％程度となるからである。なお、ここで言う腹回りの長さは、幼児の姿勢が変化したときの腹回りの周長の変化を考慮し、立位および座位で測定した腹回りの平均値である。
なお、腹側及び背側の第３領域Ａ３、Ｂ３の収縮応力は第３領域全域を切り出して測定し、第３領域の下半部Ａ３２、Ｂ３２の収縮応力は第３領域の下半部Ａ３２、Ｂ３２を切り出して測定する。
【００３３】
前述した一又は二以上の効果を得る観点から、背側延出部上部Ｂ４の収縮応力は、背側延出部下部Ｂ５の収縮応力の１.３〜３．５倍、特に１．５〜３倍であることが好ましい
。また、同様の観点から、背側延出部上部Ｂ４の収縮応力は、１４〜３５ｃＮ、特に１７〜３０ｃＮであることが好ましく、背側延出部下部Ｂ５の収縮応力は、１〜３０ｃＮ、特に５〜２５ｃＮであることが好ましい。
また、同様の観点から、腹側延出部上部Ａ４の収縮応力は、背側延出部下部Ｂ５の収縮応力の１．３〜３．５倍、特に１．５〜３倍であることが好ましく、腹側延出部上部Ａ４の収縮応力は、１４〜３５ｃＮ、特に１７〜３０ｃＮであることが好ましい。
【００３４】
また、腹側シート部材２Ａ及び背側シート部材２Ｂのそれぞれについて、第１〜第３領域Ａ１〜Ａ３、Ｂ１〜Ｂ３は、下記式（１）の関係を満たすことが好ましい。
第２領域の収縮応力＞第３領域の収縮応力＞第１領域の収縮応力・・・（１）
即ち、腹側シート部材２Ａの第１〜第３領域Ａ１〜Ａ３は、第２領域Ａ２の収縮応力が最も大きく、第３領域Ａ３の収縮応力が次に大きく、第１領域Ａ１の収縮応力が最も小さいことが好ましく、背側シート部材２Ｂの第１〜第３領域Ｂ１〜Ｂ３も、第２領域Ｂ２の収縮応力が最も大きく、第３領域Ｂ３の収縮応力が次ぎに大きく、第１領域Ｂ１の収縮応力が最も小さいことが好ましい。
【００３５】
また、腹側シート部材２Ａ及び背側シート部材２Ｂのそれぞれの第３領域の下半部Ａ３２,Ｂ３２は、物品長手方向の単位長さあたりの物品幅方向の収縮応力が、第１領域Ａ１
，Ｂ１の収縮応力（物品長手方向の単位長さ当たりの物品幅方向の収縮応力）より大きく、第２領域Ａ２，Ｂ２の収縮応力（物品長手方向の単位長さ当たりの物品幅方向の収縮応力）より小さいことが好ましい。
即ち、腹側シート部材２Ａの第１，第２領域Ａ１，Ａ２、第３領域の下半部Ａ３２は、第２領域Ａ２の収縮応力が最も大きく、第３領域の下半部Ａ３２の収縮応力が次に大きく、第１領域Ａ１の収縮応力が最も小さいことが好ましく、背側シート部材２Ｂの第１，第２領域Ｂ１，Ｂ２、第３領域の下半部Ｂ３２も、第２領域Ｂ２の収縮応力が最も大きく、第３領域の下半部Ｂ３２の収縮応力が次ぎに大きく、第１領域Ｂ１の収縮応力が最も小さいことが好ましい。
【００３６】
着用者のウエスト周りに配される第１領域Ａ１，Ｂ１の応力を低減する一方、着用者の腸骨領域に当たり易い第２領域Ａ２、Ｂ２の応力を高めることで、ウエスト開口部周縁部の下方へのずれ落ちを効果的に防止でき、お腹周りからの排泄物のモレや幼児のお腹周辺がおむつから出てしまうことによる違和感を軽減できる。また、第３領域Ａ３，Ｂ３の少なくとも下半部Ａ３２，Ｂ３２の応力を、第２領域Ａ２、Ｂ２よりも弱くすることにより、これらの領域が、肌に強く当たり、ゴム跡が付いたり、肌への負担となるといったことを防止することができる。
【００３７】
腸骨領域とは、着用者の腸骨稜から上前腸骨棘にかけての部位であり、例えば、腸骨稜から上前腸骨棘にかけての部位については、特開２００６−６１６８０号公報に説明されている。
おむつ１を着用した状態で、第２領域Ａ２、Ｂ２が着用者の腸骨稜から上前腸骨棘にかけての部位に当接するようにするためには、展開且つ伸長状態のおむつ１において、第２領域Ａ２、Ｂ２の中心位置（おむつ１の長手方向における中心位置）とおむつの長手方向中心線ＣＬとの間の距離ｋ１及びｋ２（図２参照）が、幼児用おむつにおいては、それぞれ、１８０〜２３０ｍｍであることが好ましく、より好ましくは１８５〜２２０ｍｍであり、更に好ましくは１９５〜２１５ｍｍである。成人用のおむつの場合には、距離ｋ１及びｋ２（図２参照）が３００〜３５０ｍｍ、特に３０５〜３３５ｍｍであることが好ましい。
【００３８】
背側シート部材２Ｂ及び腹側シート部材２Ａのそれぞれにおいて、第２領域Ｂ２，Ａ２の収縮応力の収縮応力は、第３領域Ｂ３，Ａ３の収縮応力より大きいことが好ましい。換言すれば、背側シート部材２Ｂ及び腹側シート部材２Ａのそれぞれにおいて、第３領域Ｂ３，Ａ３の収縮応力は、第２領域Ｂ２，Ａ２の収縮応力の収縮応力より小さいことが好ましい。第２領域Ｂ２，Ａ２の収縮応力は、第３領域Ｂ３，Ａ３の収縮応力の１．３〜２．５倍、特に１．３〜２倍であることが好ましい。
また、背側シート部材２Ｂ及び腹側シート部材２Ａのそれぞれにおいて、第２領域Ｂ２，Ａ２の収縮応力の収縮応力は、第３領域の下半部Ｂ３２，Ａ３２の収縮応力より大きいことが好ましい。換言すれば、背側シート部材２Ｂ及び腹側シート部材２Ａのそれぞれにおいて、第３領域の下半部Ｂ３２，Ａ３２の収縮応力は、第２領域Ｂ２，Ａ２の収縮応力より小さいことが好ましい。第２領域Ｂ２，Ａ２の収縮応力の収縮応力は、第３領域の下半部Ｂ３２，Ａ３２の収縮応力の１．３〜２．５倍、特に１．３〜２倍であることが好ましい。
【００３９】
また、背側シート部材２Ｂ及び腹側シート部材２Ａのそれぞれにおいて、第３領域Ｂ３，Ａ３の収縮応力は、第１領域Ｂ１，Ａ１の収縮応力の１倍より大きく３．５倍以下であることが好ましく、１倍より大きく３．０倍以下であることが好ましい。
また、背側シート部材２Ｂ及び腹側シート部材２Ａのそれぞれにおいて、第３領域の下半部Ｂ３２，Ａ３２の収縮応力は、第１領域Ｂ１，Ａ１の収縮応力の１．２倍〜３．５倍、特に１．２〜３．０倍であることが好ましい。
【００４０】
また、背側シート部材２Ｂ及び腹側シート部材２Ａのそれぞれにおいての第２領域Ｂ２，Ａ２の収縮応力は、１４〜５０ｃＮ、特に２０〜５０ｃＮであることが好ましい。
また、背側シート部材２Ｂ及び腹側シート部材２Ａのそれぞれにおいての第３領域Ｂ３，Ａ３の収縮応力は、１４〜３５ｃＮ、特に１７〜３５ｃＮであることが好ましい。
また、背側シート部材２Ｂ及び腹側シート部材２Ａのそれぞれにおいての第１領域Ｂ１，Ａ１の収縮応力は、１〜３０ｃＮ、特に５〜２５ｃＮであることが好ましい。
【００４１】
第３領域Ａ３，Ｂ３、特にその下半部Ａ３２，Ｂ３２が肌に強く当たるのを防止しながら、第３領域Ａ３，Ｂ３及び前述した背側延出部上部Ｂ４及び腹側延出部上部Ａ４の収縮力により、ずれを防止する観点から、背側延出部上部Ｂ４は、背側シート部材２Ｂの第２領域Ｂ２の収縮応力より低いことが好ましい。また、同様の観点から、腹側延出部上部Ａ４は、腹側シート部材２Ａの第２領域Ａ２の収縮応力より低いことが好ましい。背側延出部上部Ｂ４及び腹側延出部上部Ａ４の両者が、このような条件を満足することが更に好ましい。
第３領域Ａ３，Ｂ３は、上半部Ａ３１，Ｂ３１及び下半部Ａ３２，Ｂ３２のそれぞれに、弾性部材２４が少なくとも１本配されていること、特に弾性部材２４が、Ｘ方向に間隔を開けて複数本配されていることが好ましい。
【００４２】
背側延出部上部Ｂ４、背側シート部材２Ｂの第３領域Ｂ３の下半部Ｂ３２は、排尿がなされ、重量が増したおむつの股下部分近傍に位置するため、排尿時において大きな圧力がかかりやすく、結果としてゴム跡のつきやすい部位と言える。
そこで、背側延出部上部Ｂ４の収縮応力と、背側シート部材２Ｂの第３領域Ｂ３の下半部Ｂ３２の収縮応力とを同等にすることにより、排尿時において、背側延出部上部Ｂ４と、背側シート部材２Ｂの第３領域Ｂ３の下半部Ｂ３２とにかかる圧力が均一に分散し、いずれかの部位に圧力が集中することがなくなるため、ずれ落ちを防止しながらゴム跡を効果的に低減することが可能となり、好ましい。
同様な観点から、腹側延出部上部Ａ４の収縮応力と、腹側シート部材２Ａの第３領域Ａ３の下半部Ａ３２の収縮応力とを同等にすることが好ましい。
【００４３】
背側シート部材２Ｂの第３領域Ｂ３の下半部Ｂ３２の収縮応力は、背側延出部上部Ｂ４の収縮応力の０．３〜２．５倍、特に０．５〜２倍であることが好ましい。この倍率が、０．８〜１．２倍の場合を同等という。
また、背側シート部材２Ｂの第２領域Ｂ２の収縮応力は、背側延出部上部Ｂ４の収縮応力の１．３〜２．５倍、特に１．３〜２倍であることが好ましい。
背側シート部材２Ｂの第３領域Ｂ３の下半部Ｂ３２の収縮応力は、１４〜３５ｃＮ、特に１７〜３５ｃＮであることが好ましい。
背側シート部材２Ｂの第３領域Ｂ３の上半部Ｂ３１の収縮応力は、下半部Ｂ３２の収縮応力と同じか、下半部Ｂ３２の収縮応力より小さいことが、ずれ落ちを防止しながら、おむつの伸びやすさを更に向上させ、ゴム跡を一層低減させる観点から好ましい。
ただし、第３領域Ｂ３の収縮応力は、第１領域Ｂ１の収縮応力より大きいことが、ズレ落ちを防止する観点から好ましい。
【００４４】
腹側シート部材２Ａの第３領域Ａ３の下半部Ａ３２の収縮応力は、腹側延出部上部Ａ４の収縮応力の０．３〜２．５倍、特に０．５〜２．０倍であることが好ましい。この倍率が、０．８〜１．２倍の場合を同等という。
また、腹側シート部材２Ａの第２領域Ａ２の収縮応力は、腹側延出部上部Ａ４の収縮応力の１．３〜２．５倍、特に１．３〜２倍であることが好ましい。
腹側シート部材２Ａの第３領域Ａ３の下半部Ａ３２の収縮応力は、１４〜３５ｃＮ、特に１７〜３５ｃＮであることが好ましい。
腹側シート部材２Ａの第３領域Ａ３の上半部Ａ３１の収縮応力は、下半部Ａ３２の収縮応力と同じか、下半部Ａ３２の収縮応力より小さいことが、ずれ落ちを防止しながら、おむつの伸びやすさを更に向上させ、ゴム跡を一層低減させる観点から好ましい。
ただし、第３領域Ａ３の収縮応力は、第１領域Ａ１の収縮応力より大きいことが、ズレ落ちを防止する観点から好ましい。
【００４５】
腹側シート部材２Ａ及び背側シート部材２Ｂにおける一の領域と他の一の領域とで収縮応力を異ならせる方法は、収縮応力を異ならせることができる限り特に制限されず、例えば、（１）収縮応力が高い領域と収縮応力が低い領域とで、シート２２及び又は２３に固定する際の弾性部材の伸長率を異ならせる方法、（２）収縮応力が高い領域と収縮応力が低い領域とで、配する弾性部材の太さを異ならせる方法、（３）収縮応力が高い領域と収縮応力が低い領域とで、配する弾性部材の材質を異ならせる方法、（４）収縮応力が高い領域と収縮応力が低い領域とで、弾性部材の配置ピッチを異ならせる方法、及び（５）これらの２以上を組み合わせた方法等が挙げられる。
【００４６】
本実施形態のおむつ１は、腹側シート部材２Ａ及び背側シート部材２Ｂのそれぞれの本体部２０ａ，２０ｂに、ウエスト伸縮部Ｇ１及び胴回り伸縮部Ｇ２を有している。また、腹側シート部材２Ａ及び背側シート部材２Ｂのそれぞれの延出部２１ａ，２１ｂに、延出部伸縮部Ｇ３を有している。
そして、腹側シート部材２Ａ及び背側シート部材２Ｂの伸縮部Ｇ１〜Ｇ３の何れにおいても、外層シート２２と内層シート２３との間が、散点状に形成された多数の融着部（接合部）２６において接合されており、弾性部材２４が、それらの融着部２６を通らないように配されている。
【００４７】
より具体的には、伸縮部Ｇ１〜Ｇ３には、おむつ１の長手方向（Ｘ方向）に接合部２６が間欠的に直列配置されてなる接合部列が、おむつ１の幅方向（Ｙ方向）に複数列形成されており、それらの接合部列における各接合部のＸ方向が一致している。
そして、腹側シート部材２Ａ及び背側シート部材２Ｂの伸縮部Ｇ１〜Ｇ３の何れにおいても、複数本の弾性部材２４が、それぞれ、Ｘ方向において隣り合う接合部２６間を通るように配されている。また、各弾性部材２４は、後述する側部接着領域２７又は吸収性本体側接着領域２８においてシート２２，２３間に固定されている一方、それ以外の部位においては、シート２２，２３の何れにも固定されていない。
【００４８】
腹側シート部材２Ａは、図３に示すように、腹側シート部材の両側縁部２ａ，２ａ又はその近傍に、外層シート２２と内層シート２３との間が接着剤を介して接合された側部接着領域２７を有している。また、腹側シート部材２Ａは、側部接着領域２７よりおむつ幅方向中央側に、外層シート２２と内層シート２３との間が接着剤を介して接合された吸収性本体側接着領域２８を有している。
背側シート部材２Ｂは、図４に示すように、背側シート部材の両側縁部２ｂ，２ｂ又はその近傍に、外層シート２２と内層シート２３との間が接着剤を介して接合された側部接着領域２７を有している。また、背側シート部材２Ｂも、側部接着領域２７よりおむつ幅方向中央側に、外層シート２２と内層シート２３との間が接着剤を介して接合された吸収性本体側接着領域２８を有している。
【００４９】
そして、腹側シート部材２Ａ及び背側シート部材２Ｂの何れにおいても、ウエスト伸縮部Ｇ１に配された弾性部材２４は、一対の側部接着領域２７それぞれにおいてシート２２，２３間に固定されている一方、側部接着領域２７間においては、シート２２，２３の何れにも固定されていない。
他方、腹側シート部材２Ａ及び背側シート部材２Ｂの何れにおいても、胴回り伸縮部Ｇ２及び延出部伸縮部Ｇ３に配された弾性部材２４は、側部接着領域２７及び吸収性本体側接着領域２８のそれぞれにおいてシート２２，２３間に固定されている一方、側部接着領域２７と吸収性本体側接着領域２８との間においては、シート２２，２３の何れにも固定されていない。
【００５０】
吸収性本体側接着領域２８は、図３及び図４に示すように、おむつ幅方向外側の端が、吸収性本体３の側縁３ｃの位置よりおむつ幅方向の内側（中央側）に位置するように形成されているが、これに代えて、吸収性本体３の側縁３ｃの内外に亘るように形成したり、吸収性本体３の側縁３ｃよりおむつ幅方向の外方に形成することもできる。
【００５１】
腹側シート部材２Ａ及び背側シート部材２Ｂそれぞれのウエスト伸縮部Ｇ１，胴回り伸縮部Ｇ２及び延出部伸縮部Ｇ３においては、弾性部材２４が収縮することにより、隣接する接合部列間のシート２２及び２３が外方に膨らむように変形して、隣接する接合部列間にシート２２又はシート２３からなる襞２９が生じると共に、両シート２２，２３間には、襞２９と襞２９とに周囲を囲まれた中空部３０が形成される（図７参照）。襞２９や中空部３０が形成されることにより、腹側シート部材２Ａ及び背側シート部材２Ｂの柔らかさが向上して肌触り等が向上する他、肌当接面側に形成される襞２９間を空気が流通し易くムレ防止性にも優れている。特に、内層シート２３を、不織布等の通気性シートで形成した場合等においては、おむつ１内の湿気を外部に一層逃がしやすくなる。
【００５２】
他方、本実施形態のおむつ１においては、図３及び図４に示すように、腹側シート部材２Ａ及び背側シート部材２Ｂそれぞれにおける、本体部２０ａ，２０ｂと延出部２１ａ，２１ｂとの境界領域に、側部接着領域２７の幅（Ｙ方向の長さ）が他の部分より広い部分を有している。
より具体的には、背側シート部材２Ｂについては、第３領域Ｂ３及び背側延出部上部Ｂ４における側部接着領域２７の幅Ｗ１が、第１領域Ｂ１，第２領域Ｂ２及び背側延出部下部Ｂ５における側部接着領域２７の幅Ｗ２より広くなっており、腹側シート部材２Ａについては、第３領域Ａ３及び腹側延出部上部Ａ４における側部接着領域２７の幅Ｗ１が、第１領域Ａ１，第２領域Ａ２における側部接着領域２７の幅Ｗ２より広くなっている。
【００５３】
サイドシール部４の下端付近においては、先に述べたように、特に排尿時において応力が高くなりやすく、また着用者の肌の曲率等との関係により、肌にゴム跡が付きやすい。本体部２０ａ，２０ｂと延出部２１ａ，２１ｂとの境界領域、特に背側シート部材の第３領域Ｂ３及び背側延出部上部Ｂ４、及び／又は腹側シート部材の対応する領域に、側部接着領域２７の幅が大きい部分を設けることで、当該部分は、襞２９が形成された部分に比して平滑に維持され、肌に対する接触面積が増大するため、弾性部材による肌に対する圧力を分散させ、ゴム跡が肌に付くことを防止しつつずり落ち防止性を向上させることができる。おむつを展開した際の左右のＷ２の幅の合計は、展開した際の腹側（または背側）シート部材の幅の１０〜６５％が好ましく、特に１５〜６０％が好ましい。更に、Ｗ２の幅は、Ｗ１の幅の１．２〜１０倍が好ましく、特に４〜７．５倍が先述の効果を得る上で好ましい。
【００５４】
腹側延出部２１ａの長さＬ５（図２参照）は、腹側シート部材２Ａの長さＬａ（図２参照）の５〜６０％、特に２０〜４０％であることが好ましく、背側延出部２１ｂの長さＬ６（図２参照）は、背側シート部材２Ｂの長さＬｂ（図２参照）の５〜６０％、特に２０〜４０％であることが好ましい。また、幼児用のおむつの場合、腹側及び背側延出部２１ａ，２１ｂそれぞれの長さＬ５，Ｌ６は、１０〜１５０ｍｍであることが好ましく、より好ましくは２０〜１００ｍｍである。成人用のおむつの場合、腹側及び背側延出部２１ａ，２１ｂそれぞれの長さＬ５，Ｌ６は、１０〜２００ｍｍであることが好ましく、より好ましくは２０〜１５０である。
【００５５】
また、背側延出部２１ｂの長さＬ６は、腹側延出部２１ａの長さＬ５より長い（Ｌ６＞Ｌ５）ことが、腹側延出部２１ａと背側延出部２１ｂとの間の隙間が、サイドシール部の剥離やシートの裂けによって生じたような印象を与えないようにする観点から好ましい。但し、背側延出部２１ｂの長さＬ６は、腹側延出部２１ａの長さＬ５の１．２〜１０倍、特に１．５〜６．５倍であることが、体型へのフィット性や外観の点から好ましい。
腹側延出部２１ａ及び背側延出部２１ｂの長さＬ５，Ｌ６は、何れもおむつ長手方向（Ｘ方向）の長さである。
【００５６】
なお、上述した実施形態のおむつ１における、外層シート２２及び内層シート２３は、ウエスト開口部の開口周縁端をなす端縁部２ｃにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００５７】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００５８】
上述したおむつ１は、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムの小型化等を図ることができる。特に腹側シート部材２Ａ及び背側シート部材２Ｂの帯状原反を流れ方向と直交する直線で切断したものが、完成したおむつ１の腹側シート部材２Ａ及び背側シート部材２Ｂとなるようにすることがトリムの除去を不要とできるため好ましい。
【００５９】
以上、本発明をその好ましい実施形態に基づき説明したが、本発明は上述した実施形態に制限されず適宜変更可能である。
例えば、腹側シート部材２Ａと背側シート部材２Ｂは、それぞれ、弾性部材２４と重ならないように形成されたドット状の接合部２６を有するものに代えて、おむつ外面をなす外層シート２２とその内側に配された内層シート２３とが全域において接着された構造を有するものであっても良い。また、ウエスト伸縮部Ｇ１、胴回り伸縮部Ｇ２、延出部伸縮部Ｇ３は、それぞれ、その全体又は一部が、おむつ外面をなす外層シート２２とその内側に配された内層シート２３とが全域において接着された構造を有するものであっても良い。
【００６０】
また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
【００６１】
また、腹側延出部２１ａのＸ方向の長さＬ５は、背側延出部上部Ｂ４のＸ方向の長さＬ６１よりも長くても良く、その場合、腹側延出部２１ａにおける、背側延出部上部Ｂ４に対応する部分（腹側延出部上部Ａ４）よりも下方に延出する部分（背側延出部下部Ｂ５に対応する部分）には、弾性部材が配されていても配されていなくても良い。また、当該部分がＹ方向の伸縮性を有する場合、その収縮応力は、腹側延出部上部Ａ４より大きくても小さくても同等であっても良いが、腹側延出部上部Ａ４と同等又はそれより小さいことが好ましい。
【００６２】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００６３】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００６４】
上述した実施形態に関し、本発明はさらに以下のパンツ型吸収性物品を開示する。
＜１＞着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、
腹側シート部材及び背側シート部材は、それぞれ、左右両側にサイドシール部を有する本体部と、該本体部から股下部側に延出し、左右両側にサイドシール部を有しない延出部とを有しており、
背側シート部材の前記延出部を、物品長手方向に２等分して、背側延出部上部及び背側延出部下部に区分したときに、
腹側シート部材の前記本体部及び前記延出部、並びに背側シート部材の前記本体部、前記背側延出部上部及び前記背側延出部下部が、何れも、物品幅方向に伸縮性を有しており、
前記背側延出部上部及び前記腹側シート部材における該背側延出部上部に対応する部分は、それぞれ、物品長手方向の単位長さ当たりの物品幅方向の収縮応力が、前記背側延出部下部の同収縮応力より大きいパンツ型吸収性物品。
【００６５】
＜２＞前記本体部を、前記サイドシール部を物品長手方向に３等分して３領域に区分し、ウエスト開口部に近い側から順に第１領域、第２領域及び第３領域としたときに、
腹側シート部材及び背側シート部材それぞれの第３領域の下半部は、物品長手方向の単位長さあたりの物品幅方向の収縮応力が、第１領域の収縮応力より大きく、第２領域の収縮応力より小さい、＜１＞記載のパンツ型吸収性物品。
＜３＞前記本体部を、前記サイドシール部の長手方向を３等分する３領域に区分し、ウエスト開口部に近い側から順に第１領域、第２領域及び第３領域としたときに、
前記背側延出部上部及び／又は前記腹側シート部材の該背側延出部上部に対応する部分は、物品長手方向の単位長さ当たりの物品幅方向の収縮応力が、前記背側シート部材及び／又は前記腹側シート部材における、前記第２領域の収縮応力より低い、＜１＞又は＜２＞記載のパンツ型吸収性物品。
＜４＞前記本体部を、前記サイドシール部の長手方向を３等分する３領域に区分し、ウエスト開口部に近い側から順に第１領域、第２領域及び第３領域としたときに、
前記背側延出部上部及び／又は前記腹側シート部材の該背側延出部上部に対応する部分は、物品長手方向の単位長さ当たりの物品幅方向の収縮応力が、前記背側シート部材及び／又は前記腹側シート部材における、前記第３領域の下半部の収縮応力と同等である、＜１＞〜＜３＞の何れかに記載のパンツ型吸収性物品。
【００６６】
＜５＞前記背側シート部材２Ｂの第３領域Ｂ３の下半部Ｂ３２の収縮応力は、前記背側延出部上部Ｂ４の収縮応力の０．８〜１．２倍である＜４＞記載のパンツ型吸収性物品。
＜６＞前記腹側シート部材２Ａの第３領域Ａ３の下半部Ａ３２の収縮応力は、腹側延出部上部Ａ４の収縮応力の０．８〜１．２倍である＜４＞又は＜５＞記載のパンツ型吸収性物品。
＜７＞前記背側シート部材の前記延出部の長さが、前記腹側シート部材の前記延出部の長さより長い、＜１＞〜＜６＞の何れかに記載のパンツ型吸収性物品。
＜８＞腹側シート部材及び背側シート部材それぞれの前記本体部及び前記延出部に、２枚のシート間が散点状に形成された多数の接合部で互いに接合されていると共に弾性部材が、それぞれ物品長手方向に隣り合う接合部間を通るように配されている伸縮部を有している、＜１＞〜＜７＞の何れかに記載のパンツ型吸収性物品。
＜９＞腹側シート部材及び背側シート部材それぞれの両側縁部又はその近傍に、前記２枚のシート間が接着剤で接合された接着領域を有しており、前記本体部と前記延出部との境界領域に、前記接着領域の幅が他の部分より広い部分を有している、＜１＞〜＜８＞の何れかに記載のパンツ型吸収性物品。
【００６７】
＜１０＞腹側シート部材２Ａ及び背側シート部材２Ｂのそれぞれにおいて、おむつ１の長手方向（Ｘ方向）における、吸収性本体３の長手方向の端部３ａ，３ｂより外方に、ウエスト伸縮部Ｇ１が形成されている＜１＞〜＜９＞の何れかに記載のパンツ型吸収性物品。
＜１１＞腹側シート部材２Ａ及び背側シート部材２Ｂのそれぞれにおける、おむつ１の長手方向（Ｘ方向）における、前記ウエスト伸縮部Ｇ１と腹側延出部２１ａ又は背側延出部２１ｂとの間に、胴回り伸縮部Ｇ２が形成されている＜１０＞に記載のパンツ型吸収性物品。
＜１２＞前記胴回り伸縮部Ｇ２が、パンツ型吸収性物品の幅方向（Ｙ方向）における、少なくとも、吸収性本体３の長手方向の両側縁それぞれより外方に位置する部分に形成されている＜１＞〜＜１１＞の何れかに記載のパンツ型吸収性物品。
＜１３＞腹側シート部材及び／又は背側シート部材における前記延出部に延出部伸縮部が形成されており、該延出部伸縮部は、パンツ型吸収性物品の幅方向（Ｙ方向）における、少なくとも、吸収性本体３の長手方向の両側縁それぞれより外方に位置する部分に形成されている＜１＞〜＜１２＞の何れかに記載のパンツ型吸収性物品。
＜１４＞ウエスト伸縮部Ｇ１は、腹側シート部材２Ａ又は背側シート部材２Ｂにおける側部接着領域２７，２７間の全域に亘って伸縮性を発現するように形成されている＜１０＞に記載のパンツ型吸収性物品。
＜１５＞胴回り伸縮部Ｇ２及び延出部伸縮部Ｇ３は、吸収性本体３の両側縁の外方においては伸縮性を発現し、吸収性本体３と重なる部分、特に吸収性本体３の幅方向中央部と重なる部分において伸縮性を発現しないように、パンツ型吸収性物品（おむつ１）の左右に分割された状態に形成されている＜１０＞〜＜１４＞の何れかに記載のパンツ型吸収性物品。
＜１６＞腹側本体部２０ａ、背側本体部２０ｂ、腹側延出部２１ａ及び背側延出部２１ｂには、それぞれ、複数本の弾性部材２４が、それぞれおむつ幅方向に沿って延びるように、且つおむつの長手方向に間隔を開けて伸長状態で配されている＜１＞〜＜１５＞の何れかに記載のパンツ型吸収性物品。
＜１７＞腹側延出部２１ａのＸ方向の長さＬ５が、背側延出部上部Ｂ４のＸ方向の長さＬ６１と同じである＜１＞〜＜１６＞の何れかに記載のパンツ型吸収性物品。
＜１８＞腹側延出部２１ａのＸ方向の長さＬ５が、背側延出部上部Ｂ４のＸ方向の長さＬ６１よりも長い＜１＞〜＜１６＞の何れかに記載のパンツ型吸収性物品。
＜１９＞腹側延出部２１ａのＸ方向の長さＬ５が、背側延出部上部Ｂ４のＸ方向の長さＬ６１よりも短い＜１＞〜＜１６＞の何れかに記載のパンツ型吸収性物品。
【００６８】
＜２０＞背側延出部上部Ｂ４の収縮応力は、背側延出部下部Ｂ５の収縮応力の１.３〜３．５倍、特に１．５〜３倍である＜１＞〜＜１９＞の何れかに記載のパンツ型吸収性物品。
＜２１＞背側延出部上部Ｂ４の収縮応力は、１４〜３５ｃＮ、特に１７〜３０ｃＮである＜１＞〜＜２０＞の何れかに記載のパンツ型吸収性物品。
＜２２＞背側延出部下部Ｂ５の収縮応力は、１〜３０ｃＮ、特に５〜２５ｃＮである＜１＞〜＜２１＞の何れかに記載のパンツ型吸収性物品。
＜２３＞腹側延出部上部Ａ４の収縮応力は、背側延出部下部Ｂ５の収縮応力の１．３〜３．５倍、特に１．５〜３倍である＜１＞〜＜２２＞の何れかに記載のパンツ型吸収性物品。
＜２４＞腹側延出部上部Ａ４の収縮応力は、１４〜３５ｃＮ、特に１７〜３０ｃＮである＜１＞〜＜２３＞の何れかに記載のパンツ型吸収性物品。
＜２５＞腹側シート部材２Ａの第１〜第３領域Ａ１〜Ａ３は、第２領域Ａ２の収縮応力が最も大きい、＜１＞〜＜２４＞の何れかに記載のパンツ型吸収性物品。
＜２６＞前記本体部を、前記サイドシール部の長手方向を３等分する３領域に区分し、ウエスト開口部に近い側から順に第１領域、第２領域Ａ２、Ｂ２及び第３領域としたときに、パンツ型吸収性物品（おむつ１）を着用した状態で、第２領域Ａ２、Ｂ２が着用者の腸骨稜から上前腸骨棘にかけての部位に当接する＜１＞〜＜２５＞の何れかに記載のパンツ型吸収性物品。
＜２７＞前記本体部を、前記サイドシール部の長手方向を３等分する３領域に区分し、ウエスト開口部に近い側から順に第１領域、第２領域及び第３領域としたときに、背側シート部材２Ｂ及び腹側シート部材２Ａのそれぞれにおいて、第２領域Ｂ２，Ａ２の収縮応力は、第３領域Ｂ３，Ａ３の収縮応力の１．３〜２．５倍、特に１．３〜２倍である＜１＞〜＜２６＞の何れかに記載のパンツ型吸収性物品。
＜２８＞前記本体部を、前記サイドシール部の長手方向を３等分する３領域に区分し、ウエスト開口部に近い側から順に第１領域、第２領域及び第３領域としたときに、背側シート部材２Ｂ及び腹側シート部材２Ａのそれぞれにおいて、第２領域Ｂ２，Ａ２の収縮応力は、第３領域の下半部Ｂ３２，Ａ３２の収縮応力の１．３〜２．５倍、特に１．３〜２倍である＜１＞〜＜２７＞の何れかに記載のパンツ型吸収性物品。
＜２９＞前記本体部を、前記サイドシール部の長手方向を３等分する３領域に区分し、ウエスト開口部に近い側から順に第１領域、第２領域及び第３領域としたときに、背側シート部材２Ｂ及び腹側シート部材２Ａのそれぞれにおいて、第３領域の下半部Ｂ３２，Ａ３２の収縮応力は、第１領域Ｂ１，Ａ１の収縮応力の１．２倍〜３．５倍、特に１．２〜３．０倍である＜１＞〜＜２８＞の何れかに記載のパンツ型吸収性物品。
＜３０＞前記腹側シート部材及び前記背側シート部材は、それぞれの両側縁部又はその近傍に、弾性部材がシート間に接着剤を介して固定された側部接着領域を有しており、腹側シート部材２Ａ及び背側シート部材２Ｂそれぞれにおける、本体部２０ａ，２０ｂと延出部２１ａ，２１ｂとの境界領域に、側部接着領域２７の幅（Ｙ方向の長さ）が他の部分より広い部分を有している＜１＞〜＜２９＞の何れかに記載のパンツ型吸収性物品。
＜３１＞前記背側シート部材は、それぞれの両側縁部又はその近傍に、弾性部材がシート間に接着剤を介して固定された側部接着領域を有しており、第３領域Ｂ３及び背側延出部上部Ｂ４における側部接着領域２７の幅Ｗ１が、第１領域Ｂ１，第２領域Ｂ２及び背側延出部下部Ｂ５における側部接着領域２７の幅Ｗ２より広くなっている＜１＞〜＜３０＞の何れかに記載のパンツ型吸収性物品。
＜３２＞前記腹側シート部材は、それぞれの両側縁部又はその近傍に、弾性部材がシート間に接着剤を介して固定された側部接着領域を有しており、第３領域Ａ３及び腹側延出部上部Ａ４における側部接着領域２７の幅Ｗ１が、第１領域Ａ１，第２領域Ａ２における側部接着領域２７の幅Ｗ２より広くなっている＜１＞〜＜３１＞の何れかに記載のパンツ型吸収性物品。
＜３３＞パンツ型吸収性物品が、幼児用のパンツ型使い捨ておむつである＜１＞〜＜３２＞の何れかに記載のパンツ型吸収性物品。
【実施例】
【００６９】
以下、本発明を実施例により詳細に説明する。しかし、本発明は、下記により何ら制限されるものではない。
【００７０】
〔実施例１，２及び比較例１，２〕
腹側シート部材及び背側シート部材に表１に示す弾性部材を表１に示す態様で配して、各部が表１に示す収縮応力を有する図１〜図２に示す形態のパンツ型使い捨ておむつを製造した。弾性部材は、何れも、スパンデックスの糸状弾性体を用いた。
なお、表１中の「↑」は、上に同じである旨を示す。また、実施例１のおむつにおける、腹側延出部２１ａのＸ方向の長さＬ５は、背側延出部２１ｂのＸ方向の長さＬ６の１／２の長さ（背側延出部上部Ｂ４のＸ方向の長さＬ６１と同じ長さ）とした。また、比較例１，２も同様とした。各部の収縮応力は、おむつ長手方向の単位長さ(１０ｍｍ）当たりの収縮応力である。
【００７１】
【表１】
0005898947.tif 000002
【００７２】
〔評価〕
得られたパンツ型使い捨ておむつについて、下記の方法により、（１）ずり落ち難さ、（２）足周りのゴム跡の付き難さについて評価し、結果を表２に示した。
【００７３】
（１）ずり落ち難さ
実施例１，２及び比較例１，２のおむつを、１〜２才児相当のベビー動的モデルに装着させ、２４０ｇ（起床時想定）の擬似尿を注入し、３０分動作させた後の足周りのズレ落ち量を比較した。足周りのずれ落ち量は、そけいと耳珠垂線の交点（そけいサイド点）からオムツのサイドシール下端までの長さを足周りずれ落ち量として測定した。
（評価基準）
○：足周りずれ落ち量が１５ｍｍ未満
△：足周りずれ落ち量が１５ｍｍ以上２５ｍｍ未満
×：足周りずれ落ち量が２５ｍｍ以上
【００７４】
（２）足周りのゴム跡の付き難さ
実施例１，２及び比較例１，２のおむつを、１〜２才児に４〜１０時間装着（通常通り使用）してもらい、ゴム跡の様子を観察した。
（評価基準）
◎：殆どゴムの跡が見えないレベル
○：ゴムの跡があっても気にならないレベル
×：ゴムの跡がくっきり付いており、気になるレベル
【００７５】
【表２】
0005898947.tif 000003
【００７６】
表２に示す結果から、背側延出部上部Ｂ４の収縮応力及び腹側シート部材におけるその対応部分（腹側延出部上部Ａ４）の収縮応力を、背側延出部下部の収縮応力より高くすることで、湾曲のあるお尻へのフィット性を高めることができる上に、ゴム跡がつきやすい第３領域の応力を過度に高めなくてもおむつのずれを効果的に防止でき、且つ胴回り周辺のゴム跡を防止できることが判る。
【００７７】
また、実施例１と実施例２の結果の対比から、延出部上部の応力を第３領域の下半部の収縮応力と同等にすることで、ゴム跡がつきやすい第３領域の収縮応力を過度に高めなくても、おむつのずれを効果的に防止でき、ゴム跡も防止できることが判る。
【符号の説明】
【００７８】
１  パンツ型使い捨ておむつ（パンツ型吸収性物品）
２Ａ  腹側シート部材
２ａ，２ａ  側縁部
２０ａ  腹側本体部
Ａ１  第１領域
Ａ２  第２領域
Ａ３  第３領域
Ａ３２  第３領域の下半部
２１ａ  腹側延出部
Ａ４  腹側延出部上部
（腹側シート部材における背側延出部上部に対応する部分）
２Ｂ  背側シート部材
２ｂ，２ｂ  側縁部
２０ｂ  背側本体部
Ｂ１  第１領域
Ｂ２  第２領域
Ｂ３  第３領域
Ｂ３２  第３領域の下半部
２１ｂ  背側延出部
Ｂ４  背側延出部上部
Ｂ５  背側延出部下部
２２  外層シート
２３  内層シート
２４  弾性部材
２９  襞
３  吸収性本体
３１  表面シート
３２  裏面シート
３３  吸収体
３４  側方カフス
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  延出部伸縮部
【図１】
0005898947.tif 000004
【図２】
0005898947.tif 000005
【図３】
0005898947.tif 000006
【図４】
0005898947.tif 000007
【図５】
0005898947.tif 000008